(57)【要約】      （修正有）【課題】Ｕ字金具（丸環）にチェーン類を挿通して吊下げる一般的なネックレスを提供することができる、Ｕ字金具にチェーン類を挿通する作業が簡単に行えるようにした、使いやすくかつ装飾性に富むネックレスのような装身具の吊下げ構造を提供する。【解決手段】所望の厚さに形成した装身具本体１１と、装身具本体の背面に開閉可能に取り付けた蓋体１６と、一端を該装身具本体の上部において回転自在に保持され、他端を装身具本体と蓋体との間で保持するようにしたＵ字金具２１とで構成されており、蓋体を開いた上でＵ字金具の他端をその一端を軸として回転させてＵ字金具を開放し、その状態でチェーン類３１をＵ字金具にはめ込み、そしてＵ字金具の他端をその一端を軸として元の位置に回転させ、次いで蓋体を閉じて他端を装身具本体と蓋体との間で保持するようにしたことを特徴とする。【選択図】図１１
0003199186.tif 000002
【実用新案登録請求の範囲】
【請求項１】
所望の厚さに形成した装身具本体と、前記装身具本体の背面に開閉可能に取り付けた蓋体と、一端を該装身具本体の上部において回転自在に保持され、他端を前記装身具本体と蓋体との間で保持するようにしたＵ字金具とで構成されており、
前記蓋体を開いた上でＵ字金具の他端をその一端を軸として回転させてＵ字金具を開放し、その状態でチェーン類をＵ字金具にはめ込み、そしてＵ字金具の他端をその一端を軸として元の位置に回転させ、次いで蓋体を閉じて前記他端を前記装身具本体と蓋体との間で保持するようにしたことを特徴とする装身具の吊下げ構造。
【請求項２】
前記所望の厚さに形成した装身具本体は、前面板と該前面板の輪郭に沿って前面板と直交するように形成した側壁部とで構成され、前記蓋板は前記前面板に設けたヒンジで前記装身具本体の背面に開閉可能に取り付けられていることを特徴とする請求項１記載の装身具の吊下げ構造。
【請求項３】
前記Ｕ字金具は、一端を該装身具本体の上部において前記側壁部に挿通して回転自在に軸着するとともに、他端を前記装身具本体の側壁部とこれと対向するよう蓋体に設けた側壁部との間で保持するようにしたことを特徴とする請求項２記載の装身具の吊下げ構造。
【考案の詳細な説明】
【技術分野】
【０００１】
本考案は、首から胸部に吊り下げるように装飾体を配置させ、該装飾体をチェーン類に簡単に着脱することが可能な装身具の吊下げ構造に関するものである。
【背景技術】
【０００２】
首から胸部に吊り下げるように装飾体を配置させた例えばネックレスにチェーン類を挿通させる場合には、ネックレスの適所に丸環を取り付けた上でこの丸環にチェーン類を挿通することが通例であった。
【０００３】
また、実用新案登録第３０９８５８４号（特許文献１参照）のように、上板部と下板部からなり、上板部内面には挟み込み面となっている上板部の一辺に下板部の一辺を蝶番受け部に組み込むことで上板部を起伏自在に取り付け、上板部と下板部のもう一辺には互いに嵌合する突起板を設け、そして、上板部、下板部の内面には長手方向に芯棒を有するシリコンチューブを配設してチェーン上を摺動、係止、且つ、脱着自在の機能を持ち合わせた装飾金具が知られている。
【０００４】
さらに、実開平２−１０７３１２号公報（特許文献２参照）には、ブレスレットやネックレスあるいはペンダント等の装身具を装着するチェーンの両端を結合させる連結具において、該連結具をチェーンの一端に取付ける係合体とチェーンの他端に取付ける被係合体とで構成し、前記係合体に一対の係合用突起を設け、かつ、被係合体に係合用突起の一方と弾発係合するスライド係合部を内装するとともに、他方の係合用突起と係合する係合爪を設けたことを特徴とする装身具用チェーンの連結具が提案されている。
【先行技術文献】
【特許文献】
【０００５】
【特許文献１】実用新案登録第３０９８５８４号
【特許文献２】実開平２−１０７３１２号公報
【考案の概要】
【考案が解決しようとする課題】
【０００６】
前記各特許文献における先行技術は、丸環にチェーン類を挿通して吊下げる一般的なネックレスとは程遠い形状であって、ネックレス等としては違和感を持たせる形態であった。
本考案は、Ｕ字金具（丸環）にチェーン類を挿通して吊下げる一般的なネックレスを提供することができることはもちろん、Ｕ字金具にチェーン類を挿通する作業が簡単に行えるようにした非常に使いやすく、かつ装飾性に富むネックレスとすることができる装身具の吊下げ構造を提供しようとするものである。
【課題を解決するための手段】
【０００７】
前記目的を達成するため本考案の装身具の吊下げ構造は、所望の厚さに形成した装身具本体と、前記装身具本体の背面に開閉可能に取り付けた蓋体と、一端を該装身具本体の上部において回転自在に保持され、他端を前記装身具本体と蓋体との間で保持するようにしたＵ字金具とで構成されており、
前記蓋体を開いた上でＵ字金具の他端をその一端を軸として回転させてＵ字金具を開放し、その状態でチェーン類をＵ字金具にはめ込み、そしてＵ字金具の他端をその一端を軸として元の位置に回転させ、次いで蓋体を閉じて前記他端を前記装身具本体と蓋体との間で保持するようにしたことを特徴とするものである。
【０００８】
本考案の装身具の吊下げ構造において、前記所望の厚さに形成した装身具本体は、前面板と該前面板の輪郭に沿って前面板と直交するように形成した側壁部とで構成され、前記蓋板は前記前面板に設けたヒンジで前記装身具本体の背面に開閉可能に取り付けられていることをも特徴とするものである。
【０００９】
本考案の装身具の吊下げ構造において、前記Ｕ字金具は、一端を該装身具本体の上部において前記側壁部に挿通して回転自在に軸着するとともに、他端を前記装身具本体の側壁部とこれと対向するよう蓋体に設けた側壁部との間で保持するようにしたことをも特徴とするものである。
【考案の効果】
【００１０】
請求項１の装身具の吊下げ構造によれば、Ｕ字金具を開放した状態でチェーン類をＵ字金具にはめ込み、そしてＵ字金具を元の位置に回転させて蓋体を閉じ、前記開放端部を前記装身具本体と蓋体との間で保持するようにしたので、Ｕ字金具へのチェーン類の装着しやすさが格段と向上し、またネックレス等としての装飾性に何ら問題のない装身具の提供が可能となった。
【００１１】
請求項２の装身具の吊下げ構造によれば、前記所望の厚さに形成した装身具本体は、前面板と該前面板の輪郭に沿って前面板と直交するように形成した側壁部とで構成され、前記蓋板は前記前面板に設けたヒンジで前記装身具本体の背面に開閉可能に取り付けられている。
したがって、軽量でかつ堅牢な装身具を提供することができ、ヒンジを介して取り付けた蓋板によってＵ字金具も装身具本体から露出することがなく、装飾性に優れた装身具を適用することができる。
【００１２】
請求項３の装身具の吊下げ構造によれば、前記Ｕ字金具は、一端を該装身具本体の上部において前記側壁部に挿通して回転自在に軸着するとともに、他端を前記装身具本体の側壁部とこれと対向するよう蓋体に設けた側壁部との間で保持されている。
したがって、Ｕ字金具を装身具本体の厚さの中の適宜位置に取り付けることができるようになった。
【図面の簡単な説明】
【００１３】
【図１】本考案の装身具の吊下げ構造の実施の形態を示す正面図である。
【図２】その概略背面図である。
【図３】（ａ）はその左側面図、（ｂ）はその右側面図である。
【図４】（ａ）はその左側面透視図、（ｂ）はその右側面透視図である。
【図５】その左側から見た概略断面図である。
【図６】蓋板を開いた状態の断面図である。
【図７】本考案の装身具の吊下げ構造の各部品の組み付け前の状態を示す斜視図である。
【図８】蓋体を組み付けた状態の斜視図である。
【図９】Ｕ字金具を一端を組み付けた状態の斜視図である。
【図１０】Ｕ字金具にチェーン類を挿通した状態を示す斜視図である。
【図１１】Ｕ字金具を装身具本体の側壁部の所定位置に回動した状態を示す斜視図である。
【図１２】蓋体を閉じてＵ字金具を装身具本体の側壁部の所定位置に固定した状態の斜視図である。
【考案を実施するための形態】
【００１４】
以下、図面について本考案の実施の形態を説明する。
図１ないし図６において、本考案の装身具の吊下げ構造を構成する装身具本体１１は、例えばクロス様（十字）の前面板１２を備えており、該前面板１２の装飾面には多数の宝石１３が爪１４等を介して取り付けられている。もちろん、宝石１３の止め方は、各種の爪止めのほか、彫り留め、ふせ込み等の種々の止め方を採用することができる。
【００１５】
前記装身具本体１１は、前記前面板１２の輪郭に沿って前面板１２と直交するように形成した側壁部１５により所望の厚さに形成されている。通常は前記前面板１２の輪郭に沿って形成した側壁部１５の内側は中空であり、軽量でかつ所望の強度が得られるようになっている。
そして、前記装身具本体１１の背面には、蓋板１６が前面板１２の上部の輪郭とほぼ等しい輪郭になるよう形成され、なおかつ蓋板１６は前記前面板１２から突出させて設けたヒンジ１７を介して、前記装身具本体１１の背面に開閉可能に取り付けられている。図５は蓋体１６を閉じた状態を、図６は蓋体１６を開いた状態を示すものである。
【００１６】
図において２１は、一端２１ａを前記装身具本体１１の上部において回転自在に保持され、他端２１ｂを前記装身具本体１１と蓋体１６との間で保持するようにしたＵ字金具である。
本考案においては、前記Ｕ字金具２１の一端２１ａを前記装身具本体１１の上部において軸着し、他端２１ｂを開放してチェーン類を挿通しやすくしたことを要旨としている。
【００１７】
図７ないし図１２はＵ字金具２１の使用の過程を示すそれぞれ斜視図である。
図７ないし図８においては、前記蓋板１６が装身具本体１１の背面において前記前面板１２から突出させて設けたヒンジ１７を介して、前記装身具本体１１の背面に開閉可能に取り付けられることを示している。１８は軸ピンである。
図９は、前記Ｕ字金具２１が前記装身具本体１１の上部に設けた軸孔２２にその一端２１ａを挿通され、端部をカシメ等によって抜け止めされている。
【００１８】
図９のように前記蓋体１６を開いた上で、Ｕ字金具２１の他端２１ｂをその一端２１ａを軸として回転させて開放し、その状態で図１０のようにチェーン類３１をＵ字金具２１にはめ込む。
そしてＵ字金具２１の他端２１ｂを、図１１のように前記一端２１ａを軸として回転させて装身具本体１１の前記側壁部１５に設けた凹溝１５ａに収納し、図１２のように、蓋体１６を閉じて前記他端２１ｂを前記装身具本体１１と蓋体１６に設けた側壁部１６ａの凹溝１６ｂとの間で保持するものである。
【００１９】
図において２３は、前記蓋体１６の適所に設けた係合ピンであり、先端に設けたフック２３ａを前記装身具本体１１の側壁部１５に設けた係合部１５ｂに係合して抜け止めするようになっている。
また図において２４は、前記装身具本体１１の側壁部１５に設けた丸環となるパーツであり、本実施例においてはクロス様のデザインの両腕部分のやや下側に配置されていて、適宜異なる装飾体を吊り下げることができるようになっている。
【産業上の利用可能性】
【００２０】
本考案の装身具の吊下げ構造は、実施例において示したネックレスやペンダントのみならず、チェーン類等で吊下げるタイプの装身具であれば、イヤリングやブローチその他の種々の装身具に応用できることはいうまでもない。
【符号の説明】
【００２１】
１１  装身具本体
１２  前面板
１３  宝石
１４  爪
１５  側壁部
１５ａ  凹溝
１５ｂ  係合部
１６  蓋板
１６ａ  側壁部
１６ｂ  凹溝
１７  ヒンジ
１８  軸ピン
２１  Ｕ字金具
２１ａ  Ｕ字金具の一端
２１ｂ  Ｕ字金具の他端
２２  軸孔
２３  係合ピン
２３ａ  フック
２４  丸環用パーツ
３１  チェーン類
【図１】
0003199186.tif 000003
【図２】
0003199186.tif 000004
【図３】
0003199186.tif 000005
【図４】
0003199186.tif 000006
【図５】
0003199186.tif 000007
【図６】
0003199186.tif 000008
【図７】
0003199186.tif 000009
【図８】
0003199186.tif 000010
【図９】
0003199186.tif 000011
【図１０】
0003199186.tif 000012
【図１１】
0003199186.tif 000013
【図１２】
0003199186.tif 000014